(57)【要約】      （修正有）【課題】自身の出力電圧よりも高い電圧が外部から印可されている状態から急峻に電流を出力させる時の電流応答性を改善する。【解決手段】スイッチング電源装置10は電力変換部12、基準電圧源28の基準電圧と出力検出電圧の誤差分をフィードバック信号として出力するフィードバック制御回路26、三角波信号とフィードバック信号を比較してスイッチング素子14を制御するＰＷＭ制御回路30を備える。スイッチング動体モニタ回路３２は、他のスイッチング電源装置と並列運転を行う際に、電力変換部12の出力に自己の出力電圧より高い電圧が印加され、スイッチング素子14の所定時間以上のオフを検出すると、スイッチング動作停止検出信号を基準電圧源28に出力する。基準電圧源２８は、基準電圧を上昇させ、フィードバック信号の三角波信号からの乖離を抑制し、急峻に電流を出力する際の応答遅れをなくす。【選択図】図１
2018023190.tif 000002
【特許請求の範囲】
【請求項１】
スイッチング素子と出力平滑回路を備え、前記スイッチング素子のオン、オフによって入力電圧を断続電圧に変換し、前記断続電圧を前記出力平滑回路で直流電圧に変換して出力電圧を生成し、前記出力電圧は前記スイッチング素子のオンデューティで制御される電力変換部と、
誤差アンプと基準電圧源を備え、前記基準電圧源が出力する所定の基準電圧と前記出力電圧に比例した出力検出電圧を前記誤差アンプに入力して両者の誤差に応じて変化するフィードバック信号を出力するフィードバック制御回路と、
ＰＷＭコンパレータと三角波発振器を備え、前記三角波発信器から出力される所定の周波数と振幅の三角波信号と前記フィードバック信号を前記ＰＷＭコンパレータで比較した結果に基づいて前記スイッチング素子をオン、オフさせるスイッチング制御信号を出力するＰＷＭ制御回路と、
を備えたスイッチング電源装置に於いて、
前記基準電圧源は前記所定の基準電圧を上昇させる機能を備えており、
前記スイッチング素子が所定の時間以上オフしていることを検出した場合に、スイッチング動作停止検出信号を前記基準電圧源に出力して前記所定の基準電圧を上昇させ、前記フィードバック信号の前記三角波信号からの乖離を抑制させるスイッチング動作モニタ回路が設けられたことを特徴とするスイッチング電源装置。
【請求項２】
（スイッチング動作モニタ回路）
請求項１記載のスイッチング電源装置に於いて、
前記スイッチング動作モニタ回路は、ダイオード、コンデンサ、抵抗及びしきい値電圧検出回路を備え、前記スイッチング制御信号のオン期間に前記ダイオードを介して前記コンデンサに電荷を蓄え、前記スイッチング制御信号のオフ期間に前記コンデンサの電荷を前記抵抗を介して放電し、前記コンデンサの電圧を前記しきい値電圧検出回路に入力して所定のしきい値電圧以下となった場合に前記スイッチング動作停止検出信号を出力させるように構成されたことを特徴とするスイッチング電源装置。
【請求項３】
（基準電圧を上昇させる機能をもった基準電圧源）
請求項１記載のスイッチング電源装置に於いて、
前記基準電圧源は、パルス信号のデューティを変化させる機能をもった方形波発振器、抵抗及びコンデンサを備え、前記方形波発振器の出力するパルス信号を前記抵抗と前記コンデンサで平滑した電圧を基準電圧として出力し、前記方形波発信器のデューティを所定値に初期設定して前記所定の基準電圧を出力し、前記スイッチング動作停止検出信号が入力された場合に前記方形波発振器のデューティを変化させて前記所定の基準電圧を上昇させるように構成されたことを特徴とするスイッチング電源装置。
【請求項４】
（時間経過に応じた基準電圧の上昇）
請求項３記載のスイッチング電源装置に於いて、前記基準電圧源は、前記スイッチング動作停止検出信号が入力された場合に、前記方形波発振器のデューティを時間の経過に応じて変化させることにより、前記基準電圧を時間の経過に応じて上昇させることを特徴としたスイッチング電源装置。
【発明の詳細な説明】
【技術分野】
【０００１】
本発明は、並列運転を行うスイッチング電源システムに用いるスイッチング電源装置に関する。
【背景技術】
【０００２】
従来、複数台のスイッチング電源装置の出力を並列に接続して使用するスイッチング電源システムが知られている。
【０００３】
このスイッチング電源システムから電流を得る場合において、スイッチング電源システム内の個々のスイッチング電源装置の出力電圧設定値にばらつきがあると、出力電圧設定値の高いスイッチング電源装置が多くの電流を出力することになり、それぞれのスイッチング電源装置の出力電流がアンバランスになる。
【０００４】
出力電流がアンバランスになると、電流を多く出力しているスイッチング電源装置の発熱が大きくなり寿命が短くなる問題が発生する。スイッチング電源システムでは、システムを構成するスイッチング電源装置の故障はシステムとしての故障になるため、システムを構成する個々のスイッチング電源装置の出力電流をバランスさせ、発熱を均一化することで寿命を均一化し、システムとしての寿命が長くなるような対策を行う（特許文献１）。
【先行技術文献】
【特許文献】
【０００５】
【特許文献１】特開２００７−１４３２９２号公報
【特許文献２】特開２００８−２８９２９８号公報
【発明の概要】
【発明が解決しようとする課題】
【０００６】
ところで、これまで開示されている電流バランス技術は、スイッチング電源システムを構成するスイッチング電源装置から出力される電流の差分が一定値以上の場合において機能するため、スイッチング電源システムが無負荷で運転されている場合には、個々のスイッチング電源装置が出力する電流に差が無くなるため電流バランス技術が機能しない。
【０００７】
そして、無負荷で動作しているスイッチング電源システムから、急峻に大きな出力電流を取り出した場合に、出力電流が増加するまでの応答時間の遅れが発生する。具体的には、無負荷状態のスイッチング電源システムから、システムを構成する１台のスイッチング電源装置が出力可能な電流値よりも大きな出力電流を取り出そうとした場合に電流出力の応答遅れが発生する。
【０００８】
スイッチング電源装置の出力電流の応答特性が悪いことに対して、一般的には、スイッチング電源装置の出力側のコンデンサを大容量化することで対策を行う。これにより、スイッチング電源装置の制御回路が応答するまでの期間はスイッチング電源装置の出力側のコンデンサから電流を供給することができるようになり、スイッチング電源装置としての出力電流に対する応答特性を改善できる。しかし、この対策では、大型のコンデンサが必要になるためスイッチング電源装置の大型化、高コスト化を招いてしまう。
【０００９】
（スイッチング電源システムの無負荷時の動作）
無負荷で運転されるスイッチング電源システムにおいて、システムを構成する個々のスイッチング電源装置の動作を説明する。
【００１０】
スイッチング電源システムの無負荷時の動作を説明するに先立ち、まず、単体のスイッチング電源装置を無負荷で動作させた場合を説明する。無負荷で動作しているスイッチング電源装置においても、スイッチング素子を動作させることで入力側から出力側に電力を供給している。これは、スイッチング電源装置の出力電圧制御回路が若干の電力を消費しているためであり、この電力を供給する必要があるためである。
【００１１】
次に、複数台のスイッチング電源装置を並列に接続してスイッチング電源システムを構成した場合において、システムが無負荷で動作している場合を説明する。
【００１２】
スイッチング電源システムが無負荷で動作する場合には、システムを構成する複数台のスイッチング電源装置の中で、出力電圧設定値のばらつきにより、出力電圧設定値が一番高い値となっているスイッチング電源装置だけがスイッチング動作を行い、システム内の残りのスイッチング電源装置は、スイッチング動作を停止した状態となる。
【００１３】
スイッチング電源システムの中で出力電圧設定値が一番高い値となっているスイッチング電源装置は、無負荷で動作している単体のスイッチング電源装置と同様に、スイッチング電源装置の出力電圧制御回路が消費する電力を供給するためにスイッチング動作が行われる。
【００１４】
そして、スイッチング電源システムの中で出力電圧設定値が低い残りのスイッチング電源装置は、自身の出力電圧設定値よりも高い電圧が出力側に印加された状態となっている。これは出力電圧設定値が一番高い値となっているスイッチング電源装置から、出力電圧設定値が低い側のスイッチング電源装置に電圧が印加された状態である。
【００１５】
ここで、自身の出力電圧設定値よりも高い電圧が外部から印加されたスイッチング電源装置は、自身の出力電圧制御回路が消費する電力を外部から供給された状態となり、自身のスイッチング素子を動作させて電力を供給する必要が無くなる。また、外部から印加された電圧が自身の出力電圧制御回路の設定電圧よりも高いため、出力電圧制御回路は、自身の出力電圧が高くなっていると判断し、出力電圧を低下させるように自身のスイッチング素子の動作を制御する。この制御によってスイッチング素子の動作が完全に停止した状態となる。
【００１６】
このとき、出力電圧設定値が高い側のスイッチング電源装置は出力電流がほぼゼロ、出力電圧設定値が低い側のスイッチング電源装置は出力電流が完全にゼロであり、出力電流としては、どちらのスイッチング電源装置もほとんど同じ値となるので、特許文献１の電流バランス技術は機能しないことになる。
【００１７】
（スイッチング電源装置の構成）
図６はスイッチング電源システムを構成する従来のスイッチング電源装置の１台の回路の構成を示した回路ブロック図である。
【００１８】
図６に示すように、スイッチング電源装置１００は、電力変換部１１２と出力電圧制御回路１２２で構成される。出力電圧制御回路１２２には、フィードバック制御回路１２６、基準電圧源１２８、ＰＷＭ制御回路１３０が設けられる。
【００１９】
電力変換部１１２は、例えば降圧チョッパーであり、ＭＯＳ−ＦＥＴを用いたスイッチング素子１１４、整流用のダイオード１１８及び平滑用のインダクタ１１６とコンデンサ１２０で構成される。
【００２０】
電力変換部１１２は、スイッチング素子１１４のオン、オフにより、入力端子１１０ａ，１１０ｂに対する入力電圧Ｖｉｎを断続電圧に変換し、断続電圧をインダクタ１１６、ダイオード１１８及び出力コンデンサ１２０により整流平滑することで直流の出力電圧Ｖｏを生成し、出力端子１２１ａ，１２１ｂから負荷に供給する。
【００２１】
スイッチング素子１１４は、ＰＷＭ制御回路１３０からのスイッチング制御信号ＶＧＳがＨレベルのときオンし、Ｌレベルのときオフするように動作する。出力電圧Ｖｏは、スイッチング素子１１４のオンデューティにより制御され、オンデューティが大きくなると出力電圧Ｖｏが上昇し、オンデューティが小さくなると出力電圧Ｖｏが低下する。
【００２２】
なお、図６では、電力変換部１１２として降圧チョッパーを用いているが、スイッチング素子のオン、オフで電力変換できる回路であれば同様の動作となり、例えば、絶縁型のフォワードコンバータやフライバックコンバータ等でも良い。
【００２３】
基準電圧源１２８は、所定の基準電圧Ｖｒｅｆを出力する電圧発生回路であり、電力変換部１１２の出力電圧Ｖｏを所定の出力電圧設定値に制御するために用いる。
【００２４】
フィードバック制御回路１２６は誤差アンプ１３８で構成される。誤差アンプ１３８は、出力電圧Ｖｏが基準電圧Ｖｒｅｆに比例した値になるように、フィードバック制御を行う。フィードバック制御回路１２６の誤差アンプ１３８には、基準電圧Ｖｒｅｆと出力電圧検出回路１２４の抵抗１３４，１３６で分圧された出力電圧Ｖｏに比例した電圧である出力検出電圧Ｖｓｅｎｓが入力される。
【００２５】
フィードバック制御回路１２６の誤差アンプ１３８は基準電圧Ｖｒｅｆと出力検出電圧Ｖｓｅｎｓとの誤差に応じて変化するフィードバック信号ＶＦＢをＰＷＭ制御回路１３０に出力する。即ち、誤差アンプ１３８はＶｓｅｎｓ＞Ｖｒｅｆのときフィードバック信号ＶＦＢが低下するように制御を行い、Ｖｓｅｎｓ＜Ｖｒｅｆのときフィードバック信号ＶＦＢが上昇するように制御を行う。
【００２６】
ＰＷＭ制御回路１３０はＰＷＭコンパレータ１４６と三角波発振器１４８で構成される。ＰＷＭコンパレータ１４６には、三角波発振器１４８からの所定周波数と振幅の三角波信号Ｖｔｒｉとフィードバック制御回路１２６からのフィードバック信号ＶＦＢが入力され、ＰＷＭコンパレータ１４６の出力がスイッチング制御信号ＶＧＳとして電力変換部１１２に出力される。
【００２７】
ＰＷＭ制御回路１３０は、ＶＦＢ＞Ｖｔｒｉのときスイッチング制御信号ＶＧＳがＨレベルになるように制御を行い、ＶＦＢ＜Ｖｔｒｉのときスイッチング制御信号ＶＧＳがＬレベルになるように制御を行う。従って、スイッチング電源装置１００のスイッチング周波数は、三角波発振器１４８の周波数で決定され、フィードバック信号ＶＦＢが上昇するとスイッチング素子１１４のオンデューティが大きくなり、フィードバック信号ＶＦＢが低下するとスイッチング素子１１４のオンデューティが小さくなる。
【００２８】
これによりスイッチング電源装置１００の出力電圧Ｖｏは、基準電圧Ｖｒｅｆで決定される所定の出力電圧設定値になるように制御される。
【００２９】
（並列運転時における出力電圧設定値が高い側のスイッチング電源装置の動作）
図７は出力電圧設定値が高い側のスイッチング電源装置の動作波形を示したタイムチャートであり、図７（Ａ）は誤差アンプ１３８の入力を示し、図７（Ｂ）はＰＷＭコンパレータ１４６の入力を示し、図７（Ｃ）はスイッチング制御信号ＶＧＳを示す。
【００３０】
スイッチング電源システムが無負荷で動作している場合、出力電圧設定値が一番高いスイッチング電源装置だけがスイッチング動作を行い、他のスイッチング電源装置はスイッチング動作を停止した状態となる。スイッチング電源システムを構成するスイッチング電源装置の中でスイッチング動作が行われている側のスイッチング電源装置の動作を、図７を基に説明を行う。
【００３１】
スイッチング電源システムが無負荷で動作している場合でも、スイッチング動作が行われているスイッチング電源装置は、スイッチング電源システムとしての出力電圧が自身の出力電圧設定値になるように制御を行う。このとき、スイッチング動作が行われているスイッチング電源装置は、スイッチング電源システムを構成しているスイッチング電源装置の出力側の消費電力の全てを供給する。
【００３２】
スイッチング動作が行われているスイッチング電源装置は、図７（Ａ）に示すように、出力電圧検出信号Ｖｓｅｎｓが基準電圧Ｖｒｅｆと等しくなるようにフィードバック信号ＶＦＢが制御される。
【００３３】
また、スイッチング電源システムが無負荷の状態においては、スイッチング動作が行われているスイッチング電源装置は、ほとんど電力を出力しなくても良い状態であるため、図７（Ｂ）（Ｃ）に示すように、電力変換部１１２は、スイッチング素子１１４のオンデューティが小さな状態で動作する。この状態では、フィードバック信号ＶＦＢは三角波信号Ｖｔｒｉの下限ぎりぎりに位置した状態で動作することになる。
【００３４】
（並列運転時における出力電圧設定値が低い側のスイッチング電源装置の動作）
図８は出力電圧設定値が低い側のスイッチング電源装置の動作波形を示したタイムチャートであり、図８（Ａ）は誤差アンプ１３８の入力を示し、図８（Ｂ）はＰＷＭコンパレータ１４６の入力を示し、図８（Ｃ）はスイッチング制御信号ＶＧＳを示す。
【００３５】
スイッチング電源システムを構成するスイッチング電源装置の中で出力電圧設定値が低い側のスイッチング電源装置の動作を、図８を基に説明を行う。
【００３６】
スイッチング電源システムが無負荷で動作している場合は、自身の出力電圧設定値よりも高い電圧が外部から印可された状態となるため、自身の出力側回路の消費電力は、外部から供給された状態となる。
【００３７】
出力電圧設定値が低い側のスイッチング電源装置は、自身の出力電圧設定値よりも高い電圧が外部から印可されているため、図８（Ａ）に示すように、Ｖｓｅｎｓ＞Ｖｒｅｆの状態となる。この状態では、フィードバック制御回路１２６が出力電圧を低下させるように制御を行うことになるため、フィードバック信号ＶＦＢを低下させる制御を行う。
【００３８】
出力電圧設定値が低い側のスイッチング電源装置は、フィードバック信号ＶＦＢを低下させても出力側に外部から印可された電圧が低下することがないため、フィードバック信号ＶＦＢを下限まで低下させることになり、図８（Ｂ）に示すように、フィードバック信号ＶＦＢは三角波信号Ｖｔｒｉの下限から剥離した状態になるように制御され、スイッチング動作が停止した状態が維持されることになる。
【００３９】
（スイッチング電源システムの電流応答悪化の原理）
無負荷で運転されるスイッチング電源システムにおいて、出力電流が増加するまでの応答時間の遅れが発生する原理を以下に説明する。
【００４０】
スイッチング電源システムから、急峻に大きな出力電流を取り出そうとした場合に、システムを構成するスイッチング電源装置の出力電圧が低下する。出力電圧の低下に対して、スイッチング電源装置は、スイッチング素子のオンデューティを大きくすることで出力電圧を上昇させるような制御が行われる。
【００４１】
具体的には、システムを構成するスイッチング電源装置の全てがＶｓｅｎｓ＜Ｖｒｅｆの状態となるので、フィードバック制御回路１２６がフィードバック信号ＶＦＢを上昇させる動作を行う。
【００４２】
このとき、図７で示されている出力電圧設定値が高い側のスイッチング電源装置は、フィードバック信号ＶＦＢが三角波信号Ｖｔｒｉの下限ぎりぎりの位置で動作しているため、フィードバック信号ＶＦＢが上昇すると、即座にスイッチング素子１１４のオンデューティが大きくなり、出力電流の増加に対して素早く応答することができる。
【００４３】
一方、図８で示される出力電圧設定値が低い側のスイッチング電源装置は、三角波信号Ｖｔｒｉが振幅している位置に対してフィードバック信号ＶＦＢが剥離した位置にあるため、フィードバック信号ＶＦＢが上昇しても、三角波信号Ｖｔｒｉの振幅位置に達するまでスイッチング素子１１４が動作することができず、出力電流の増加に対して素早く応答することができない。
【００４４】
このため、無負荷状態のスイッチング電源システムから、システムを構成する１台のスイッチング電源装置が出力可能な電流値以下の電流に対しては素早く応答することができるが、これ以上の電流をスイッチング電源システムから急峻に出力させようとした場合、電流出力の応答遅れが発生することになる。
【００４５】
（同期整流とダイオード整流の比較）
出力電圧設定値が低い側のスイッチング電源装置における電流応答の問題は、電力変換部１１２にダイオード整流を用いたスイッチング電源装置を並列運転する際に顕著になる。
【００４６】
これに対し電力変換部に同期整流を用いたスイッチング電源装置では、出力側から入力側に向けて逆流電流が流れる現象が発生するため、同期整流のスイッチング電源装置を並列運転する際には、例えば、特許文献２で開示されているような逆流電流を防ぐ対策を行うことで、電流応答の問題も同時に解消される。
【００４７】
特許文献２のスイッチング電源装置では、スイッチング電源装置の出力側から自身の出力電圧設定値よりも高い電圧が印可された場合でも、フィードバック信号が三角波信号の下限よりも低下しないような構成になっている。この状態は、フィードバック信号が三角波信号の振幅内に位置することになるため、即座に出力電流を増加させることができる。
【００４８】
ところで、このような特許文献２による電流応答の遅れを無くす対策は、電力変換部に同期整流を用いることで、無負荷でも全負荷でもスイッチング素子を同じオンデューティで動作させることが可能である特徴を利用したもので、ダイオード整流のスイッチング電源装置には適用できない。
【００４９】
これは、ダイオード整流のスイッチング電源装置を無負荷で用いる場合には、オンデューティを限りなくゼロに近い状態で動作させなければならないため、特許文献２による電流応答の遅れを無くす対策を用いようとすると、三角波信号やフィードバック信号のばらつきや変動を極限まで小さくする必要があり、実用的な回路とすることができないことが理由である。
【００５０】
本発明は、並列運転による無負荷状態で自身の出力電圧設定値よりも高い電圧が外部から印可されている状態から急峻に電流出力させるときの電流応答性を改善させるスイッチング電源装置を提供することを目的とする。
【課題を解決するための手段】
【００５１】
（スイッチング電源装置）
本発明は、
スイッチング素子と出力平滑回路を備え、スイッチング素子のオン、オフによって入力電圧を断続電圧に変換し、断続電圧を出力平滑回路で直流電圧に変換して出力電圧を生成し、出力電圧はスイッチング素子のオンデューティで制御される電力変換部と、
誤差アンプと基準電圧源を備え、基準電圧源が出力する所定の基準電圧と出力電圧に比例した出力検出電圧を誤差アンプに入力して両者の誤差に応じて変化するフィードバック信号を出力するフィードバック制御回路と、
ＰＷＭコンパレータと三角波発振器を備え、三角波発信器から出力される所定の周波数と振幅の三角波信号とフィードバック信号をＰＷＭコンパレータに入力して比較した結果に基づいてスイッチング素子をオン、オフさせるスイッチング制御信号を出力するＰＷＭ制御回路と、
を備えたスイッチング電源装置に於いて、
基準電圧源は所定の基準電圧を上昇させる機能を備えており、
スイッチング素子の所定時間以上のオフを検出した場合に、スイッチング動作停止検出信号を基準電圧源に出力して所定の基準電圧を上昇させ、フィードバック信号の三角波信号からの乖離を抑制させるスイッチング動作モニタ回路が設けられたことを特徴とする。
【００５２】
（スイッチング動作モニタ回路）
スイッチング動作モニタ回路は、ダイオード、コンデンサ、抵抗及びしきい値電圧検出回路を備え、スイッチング制御信号のオン期間にダイオードを介してコンデンサに電荷を蓄え、スイッチング制御信号のオフ期間にコンデンサの電荷を、抵抗を介して放電し、コンデンサの電圧をしきい値電圧検出回路に入力して所定のしきい値電圧以下となった場合にスイッチング動作停止検出信号を出力させるように構成される。
【００５３】
（基準電圧を上昇させる機能をもった基準電圧源）
基準電圧源は、パルス信号のデューティを変化させる機能をもった方形波発振器、抵抗及びコンデンサを備え、方形波発振器の出力するパルス信号を抵抗とコンデンサで平滑した電圧を基準電圧として出力し、方形波発信器のデューティを所定値に初期設定して所定の基準電圧を出力し、スイッチング動作停止検出信号が入力された場合に方形波発振器のデューティを変化させて基準電圧を上昇させるように構成される。
【００５４】
（時間経過に応じた基準電圧の上昇）
基準電圧源は、スイッチング動作停止検出信号が入力された場合に、方形波発振器のデューティを時間の経過に応じて変化させることにより、基準電圧を時間の経過に応じて上昇させる。
【発明の効果】
【００５５】
（基本的な効果）
本発明は、スイッチング素子と出力平滑回路を備え、スイッチング素子のオン、オフによって入力電圧を断続電圧に変換し、断続電圧を出力平滑回路で直流電圧に変換して出力電圧を生成し、出力電圧はスイッチング素子のオンデューティで制御される電力変換部と、誤差アンプと基準電圧源を備え、基準電圧源が出力する所定の基準電圧と出力電圧に比例した出力検出電圧を誤差アンプに入力して両者の誤差に応じて変化するフィードバック信号を出力するフィードバック制御回路と、ＰＷＭコンパレータと三角波発振器を備え、三角波発信器から出力される所定の周波数と振幅の三角波信号とフィードバック信号をＰＷＭコンパレータに入力して比較した結果に基づいてスイッチング素子をオン、オフさせるスイッチング制御信号を出力するＰＷＭ制御回路とを備えたスイッチング電源装置に於いて、基準電圧源は所定の基準電圧を上昇させる機能を備えており、スイッチング素子の所定時間以上のオフを検出した場合に、スイッチング動作停止検出信号を基準電圧源に出力して所定の基準電圧を上昇させ、フィードバック信号の三角波信号からの乖離を抑制させるスイッチング動作モニタ回路が設けられたため、例えば複数のスイッチング電源装置の出力を負荷に並列に接続して使用する並列運転時に、無負荷状態でスイッチング電源装置自身の出力電圧設定値よりも高い外部電圧が他のスイッチング電源装置から印加されてスイッチング素子の動作が停止したことを検出すると、スイッチング動作モニタ回路がスイッチング素子の停止を検出して基準電圧値を上昇させ、基準電圧が上昇されるとフィードバック電圧が上昇し、スイッチング素子が動作して基準電圧の上昇が解除され、この動作の繰り返しにより、スイッチング電源装置のフィードバック電圧は三角波信号と大きく剥離しない状態を作ることが可能となり、スイッチング電源装置から急峻に電流を出力させようとした場合の電流出力の応答遅れを無くすことができる。
【００５６】
（スイッチング動作モニタ回路による効果）
また、スイッチング動作モニタ回路は、ダイオード、コンデンサ、抵抗及びしきい値電圧検出回路を備え、スイッチング制御信号をオン期間にダイオードを介してコンデンサに電荷を蓄え、スイッチング制御信号のオフ期間にコンデンサの電荷を抵抗を介して放電し、コンデンサの電圧をしきい値電圧検出回路に入力して所定のしきい値電圧以下となった場合にスイッチング動作停止検出信号を出力させるように構成されたため、並列運転中の無負荷状態でスイッチング電源装置自身の出力電圧設定値よりも高い外部電圧が印加されてスイッチング素子の動作が停止したことを確実に検出して、基準電圧を上昇させることができる。
【００５７】
（基準電圧を上昇させる機能をもった基準電圧源による効果）
また、基準電圧源は、パルス信号のデューティを変化させる機能をもった方形波発振器、抵抗及びコンデンサを備え、方形波発振器の出力するパルス信号を抵抗とコンデンサで平滑した電圧を基準電圧として出力し、方形波発信器のデューティを所定値に初期設定して所定の基準電圧を出力し、スイッチング動作停止検出信号が入力された場合に方形波発振器のデューティを変化させて所定の基準電圧を上昇させるように構成されたため、方形波発振器のデューティを変化させることで、簡単な構成により基準電圧を変化させることができる。
【００５８】
（時間経過に応じた基準電圧の上昇による効果）
また、基準電圧源は、スイッチング動作停止検出信号が入力された場合に、方形波発振器のデューティを時間の経過に応じて変化させることにより、基準電圧を時間の経過に応じて上昇させるようにしたため、スイッチング電源装置から急峻に電流を出力させようとした場合に基準電圧を徐々に上昇させることで、基準電圧をステップ的に上昇させた場合に比べフィードバック制御回路を安定に動作させることができる。
【００５９】
また、誤差アンプに入力している出力検出電圧を超えて基準電圧を上昇させることで、上昇後の基準電圧の出力検出電圧に対する電圧差を大きくすることが可能となるため、フィードバック信号の上昇速度が大きくなり、スイッチング素子が動作するまでの遅れ時間を更に短くすることができる。
【図面の簡単な説明】
【００６０】
【図１】本発明によるスイッチング電源装置の第１実施形態を示した回路ブロック図
【図２】複数台のスイッチング電源装置の出力を負荷に並列接続して並列運転するスイッチング電源システムを示したブロック図
【図３】無負荷の並列運転中に出力電圧設定値が高い側のスイッチング電源装置の動作波形を示したタイムチャート
【図４】無負荷の並列運転中に出力電圧設定値が低い側のスイッチング電源装置の動作波形を示したタイムチャート
【図５】スイッチング電源装置の第２実施形態において、スイッチング素子の停止を検出した場合の基準電圧を時間経過に応じて上昇させる場合の動作波形を示したタイムチャート
【図６】従来のスイッチング電源装置の実施形態を示した回路ブロック図
【図７】無負荷の並列運転中に出力電圧設定値が高い側の従来のスイッチング電源装置の動作波形を示したタイムチャート
【図８】無負荷の並列運転中に出力電圧設定値が低い側の従来のスイッチング電源装置の動作波形を示したタイムチャート
【発明を実施するための形態】
【００６１】
［スイッチング電源装置の回路構成］
図１は本発明によるスイッチング電源装置の第１実施形態を示した回路ブロック図である。
【００６２】
図１に示すように、本実施形態のスイッチング電源装置１０は、電力変換部１２と出力電圧制御回路２２で構成される。出力電圧制御回路２２には、電圧上昇機能を備えた基準電圧源２８、フィードバック制御回路２６、ＰＷＭ制御回路３０、及びスイッチング動作モニタ回路３２が設けられる。電力変換部１２の出力側には出力電圧検出回路２４が設けられるが、これは出力電圧制御回路２２に含まれる。
【００６３】
（電力変換部）
電力変換部１２は、非絶縁型の降圧チョッパーとしており、プラス側の入力端子１１ａにＭＯＳ−ＦＥＴを用いたスイッチング素子１４のドレインが接続され、スイッチング素子１４のソースに整流用のダイオード１８のアノードとインダクタ１６の一端が接続され、インダクタ１６の他端にコンデンサ２０の一端が接続され、コンデンサ２０の他端とダイオード１８のカソードがマイナス側の入力端子１１ｂに接続されている。
【００６４】
電力変換部１２は、入力端子１１ａ，１１ｂからの入力電圧Ｖｉｎを、スイッチング素子１４のオン、オフ動作によって断続電圧に変換し、断続電圧をダイオード１８により整流してインダクタ１６とコンデンサ２０で構成される平滑回路で平滑することで直流電圧に変換し、出力電圧Ｖｏを生成して出力端子２１ａ，２１ｂから負荷に供給している。
【００６５】
電力変換部１２の出力電圧Ｖｏは、スイッチング素子１４のオンデューティが制御されることで所定の電圧が出力される。
【００６６】
なお、本実施形態では、電力変換部１２として非絶縁型の降圧チョッパーを用いているが、スイッチング素子のオン、オフで電力変換できる回路であれば良く、例えば、絶縁型のフォワードコンバータやフライバックコンバータを用いても良い。
【００６７】
（基準電圧源）
基準電圧源２８は、通常は所定の基準電圧Ｖｒｅｆを出力する電圧発生回路であり、また、スイッチング動作モニタ回路３２が出力するスイッチング動作停止検出信号Ｖｓｔｏｐが入力されることによって基準電圧Ｖｒｅｆを上昇させる機能を備えている。
【００６８】
電圧上昇機能を備えた基準電圧源２８の一例として、本実施形態にあっては、方形波発振器４０、抵抗４２、コンデンサ４４で構成され、方形波発振器４０から出力されるパルス信号を抵抗４２とコンデンサ４４で平滑した電圧を基準電圧Ｖｒｅｆとして出力する。
【００６９】
基準電圧源２８は、スイッチング動作停止検出信号Ｖｓｔｏｐが入力されることによって、方形波発振器４０から出力されるパルス信号のＨレベルのデューティを広げる制御を行うことで、基準電圧Ｖｒｅｆを上昇させる。
【００７０】
方形波発振器４０は、例えば、Ｈレベルとして５ボルト、Ｌレベルとして０ボルトのパルス信号を出力する。このとき、方形波発振器４０のデューティを５０％に設定すれば、抵抗４２とコンデンサ４４により平滑されて基準電圧Ｖｒｅｆ＝２．５ボルトが得られ、デューティを５５％に設定すればＶｒｅｆ＝２．７５.ボルトが得られる。
【００７１】
（フィードバック制御回路）
フィードバック制御回路２６は、誤差アンプ３８で構成される。誤差アンプ３８には、基準電圧Ｖｒｅｆと出力電圧検出回路２４の抵抗３４，３６で分圧された出力電圧Ｖｏに比例した電圧である出力検出電圧Ｖｓｅｎｓが入力される。誤差アンプ３８は基準電圧Ｖｒｅｆと出力検出電圧Ｖｓｅｎｓとの誤差に応じて変化するフィードバック信号ＶＦＢをＰＷＭ制御回路３０に出力する。
【００７２】
即ち、フィードバック制御回路２６の誤差アンプ３８は、Ｖｓｅｎｓ＞Ｖｒｅｆのときフィードバック信号ＶＦＢが低下するように制御を行い、Ｖｓｅｎｓ＜Ｖｒｅｆのときフィードバック信号ＶＦＢが上昇するように制御を行う。
【００７３】
（ＰＷＭ制御回路）
ＰＷＭ制御回路３０は、ＰＷＭコンパレータ４６と三角波発振器４８から構成される。三角波発振器４８は所定の周波数と振幅の三角波信号Ｖｔｒｉを出力する。ＰＷＭコンパレータ４６には三角波信号Ｖｔｒｉとフィードバック信号ＶＦＢが入力され、三角波信号Ｖｔｒｉとフィードバック信号ＶＦＢを比較した結果に基づいてスイッチング素子１４をオン、オフさせるスイッチング制御信号ＶＧＳを出力する。
【００７４】
即ち、ＰＷＭ制御回路３０は、ＶＦＢ＞Ｖｔｒｉのときスイッチング制御信号ＶＧＳがＨレベルになるように制御を行い、ＶＦＢ＜Ｖｔｒｉのときスイッチング制御信号ＶＧＳがＬレベルになるように制御を行う。
【００７５】
これにより、スイッチング電源装置１０のスイッチング周波数は、三角波発振器４８の周波数で決定される。また、スイッチング素子１４のオンデューティは、フィードバック信号ＶＦＢの電圧レベルで制御され、フィードバック信号ＶＦＢが上昇するとスイッチング素子１４のオンデューティが大きくなり、フィードバック信号ＶＦＢが低下するとスイッチング素子１４のオンデューティが小さくなる。
【００７６】
（スイッチング動作モニタ回路）
スイッチング動作モニタ回路３２は、スイッチング素子１４のオン、オフ動作をモニタする回路であり、一定時間以上、スイッチング素子１４のオン、オフ動作が行われなかった場合にスイッチング動作停止検出信号Ｖｓｔｏｐを基準電圧源２８に出力して基準電圧Ｖｒｅｆを上昇させる。
【００７７】
本実施形態では、スイッチング動作モニタ回路３２は、一例として、ダイオード５０、抵抗５２、コンデンサ５４、しきい値電圧検出回路５６で構成される。スイッチング動作モニタ回路３２にはスイッチング制御信号ＶＧＳが入力され、スイッチング制御信号ＶＧＳがＨレベルのときに、ダイオード５０を介してコンデンサ５４が充電される。また、スイッチング制御信号ＶＧＳがＬレベルのとき、コンデンサ５４に蓄えられた電荷が抵抗５２を介して放電されることでコンデンサ５４の電圧が低下する。
【００７８】
スイッチング制御信号ＶＧＳによりスイッチング素子１４のオン、オフ動作が行われているときは、コンデンサ５４の電圧が一定の値以上に保たれるが、スイッチング素子１４のオン、オフ動作が停止してオフ状態が続くと、コンデンサ５４の電圧が所定のしきい値電圧Ｖｔｈ以下になる。コンデンサ５４には、しきい値電圧検出回路５６が接続されており、コンデンサ５４の電圧が所定のしきい値電圧Ｖｔｈ以下になるとスイッチング動作停止信号Ｖｓｔｏｐが基準電圧源２８に出力され、基準電圧Ｖｒｅｆを上昇させる。
【００７９】
［並列運転を行うスイッチング電源システムの概要］
図２は複数台のスイッチング電源装置の出力を負荷に並列接続して並列運転するスイッチング電源システムを示したブロック図である。
【００８０】
図２に示すように、本実施形態のスイッチング電源システムは、図１の第１実施形態のスイッチング電源装置１０と同じ構成をもつ複数台のスイッチング電源装置１０−１〜１０−ｎを備え、スイッチング電源装置１０−１〜１０−ｎの入力端子に入力電源１１が並列に接続され、また、スイッチング電源装置１０−１〜１０−ｎの出力端子が負荷２１に並列に接続され、スイッチング電源装置１０−１〜１０−ｎの並列運転により負荷２１に電源を供給している。
【００８１】
ここで、スイッチング電源装置１０−１はマスター電源装置として機能し、残りのスイッチング電源装置１０−２〜１０−ｎはスレーブ電源装置として機能する。
【００８２】
スイッチング電源装置１０−１〜１０−ｎで並列運転を行う場合、バランス制御によりマスターに設定されたスイッチチング電源装置１０−１及びスレーブに設定されたスイッチング電源装置１０−２〜１０−ｎの各出力電圧Ｖｏは同じとなり、各出力電流Ｉｏは、負荷２１に流す定格電流Ｉｒａｔｅｄを電源装置の台数ｎで割った（Ｉｒａｔｅｄ／ｎ）となる。
【００８３】
スイッチング電源装置１０−１〜１０−ｎで並列運転を行う場合のバランス制御は、例えば、汎用のＵＡＲＴモジュールを用いたシリアル通信で実現する。ＵＡＲＴモジュールは、汎用非同期受信・送信機（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）モジュールの略称である。
【００８４】
スイッチング電源装置１０−１〜１０−ｎからは、ＵＡＲＴモジュールの通信端子がＩＮＦ端子として外部に取り出され、伝送線６０により相互に接続されている。
【００８５】
マスターに設定されたスイッチング電源装置１０−１は、自身の出力電圧目標値からその設定情報を生成し、また、出力電流検出値から出力電流目標値の設定情報を生成し、シリアル通信データ信号に含めてＵＡＲＴモジュールのＩＮＦ端子から伝送線６０を介してスレーブに設定されたスイッチング電源装置１０−２〜１０−ｎに送信される。
【００８６】
スレーブに設定されたスイッチング電源装置１０−２〜１０−ｎは、シリアル通信データ信号を、ＩＮＦ端子を介してＵＡＲＴモジュールで受信することにより、マスターに設定されたスイッチング電源装置１０−１が送信した出力電圧目標値の設定値情報および出力電流目標値の設定情報を受信し、マスターの出力電圧及び出力電流と自身の出力電圧及び出力電流との差分が一定値以下になるように自身の出力電圧目標値及び出力電流目標値を設定する。
【００８７】
この動作により、スレーブに設定されたスイッチング電源装置１０−２〜１０−ｎは、自身の出力電圧および出力電流がマスターに設定されたスイッチング電源装置１０−１と同一になるように制御され、負荷２１に対し並列接続されたスイッチング電源装置１０−１〜１０−ｎの出力電圧および出力電流がバランスする。
【００８８】
並列運転で出力電圧および出力電流をバランスさせる制御は、例えば、図１の基準電圧源２８に設けた方形波発振器４０のデューティを、マスターに設定されたスイッチング電源装置１０−１から受信した出力電圧目標値および出力電流目標値に対応した基準電圧Ｖｒｅｆとなるように設定する制御を行う。
【００８９】
このようにスイッチング電源装置１０−１〜１０−ｎで並列運転を行う場合のバランス制御は、各スイッチング電源装置の出力電圧と出力電流の差分が一定値以下になるように制御が行われる機能であるため、負荷２１に一定値以上の電流を供給している場合に有効に機能しているが、負荷２１の動作が停止している無負荷状態では、スイッチング電源装置１０−１〜１０−ｎは出力電流がほぼゼロ又は完全にゼロであり、出力電流としては、全てスイッチング電源装置１０−１〜１０−ｎがほとんど同じ値となるので、バランス制御は機能しないことになる。
【００９０】
［並列運転時における出力電圧設定値が高い側のスイッチング電源装置の動作］
図３は出力電圧設定値が高い側のスイッチング電源装置の動作波形を示したタイムチャートであり、図３（Ａ）は誤差アンプ３８の入力を示し、図３（Ｂ）はＰＷＭコンパレータ４６の入力を示し、図３（Ｃ）はスイッチング動作停止検出信号Ｖｓｔｏｐを示し、図３（Ｄ）はコンデンサ５４の電圧であるしきい値電圧検出回路５６の入力を示し、図３（Ｅ）はスイッチング制御信号ＶＧＳを示す。
【００９１】
ここで、スイッチング電源システムのバランス制御は、複数台のスイッチング電源装置１０の並列運転により負荷電流に一定値以上の差がある場合において機能するため、スイッチング電源システムが無負荷で運転されている場合には、負荷電流にほとんど差が無いため、スイッチング電源システムのバランス制御が機能しない。
【００９２】
また、スイッチング電源システムが無負荷で動作する場合には、システムを構成する複数台のスイッチング電源装置の中で、出力電圧設定値のばらつきにより、出力電圧設定値が一番高い値となっているスイッチング電源装置だけが積極的にスイッチング動作を行うことでスイッチング電源システムに電流を供給することになる。
【００９３】
図３を参照して並列運転時における出力電圧設定値が高い側のスイッチング電源装置１０の動作について説明すると次にようになる。
【００９４】
出力電圧設定値が高い側のスイッチング電源装置１０は、スイッチング電源システムとしての出力電圧が自身の出力電圧設定値になるように制御を行う。このとき、出力電圧設定値が高い側のスイッチング電源装置１０は、スイッチング電源システムを構成しているスイッチング電源装置１０の出力側の消費電力の全てを供給する。従って、並列運転時における出力電圧設定値が高い側のスイッチング電源装置１０は単体で動作するスイッチング電源装置１０と同じ動作となる。
【００９５】
出力電圧設定値が高い側のスイッチング電源装置１０は、図３（Ａ）に示すように、フィードバック制御回路２６により出力検出電圧Ｖｓｅｎｓが基準電圧Ｖｒｅｆと等しくなるようにフィードバック信号ＶＦＢが制御される。
【００９６】
スイッチング電源システムが無負荷の状態においては、出力電圧設定値が高い側のスイッチング電源装置１０は、ほとんど電力を出力しなくても良い状態であるため、図３（Ｂ）に示すように、フィードバック信号ＶＦＢは三角波信号Ｖｔｒｉの下限ぎりぎりに位置した状態で動作することになり、図３（Ｅ）に示すように、スイッチング制御信号ＶＧＳのＨレベル期間は短くなり、スイッチング素子１４のオンデューティが小さな状態で動作する。
【００９７】
スイッチング動作モニタ回路３２のコンデンサ５４は、図３（Ｄ）に示すように、スイッチング制御信号ＶＧＳのＨレベルにより定期的に充電されることになり、コンデンサ５４の電圧ＶＣはしきい値電圧検出回路５６のしきい値電圧Ｖｔｈ以下になることがない。従って、スイッチング動作モニタ回路３２からは、図３（Ｃ）に示すように、スイッチング動作停止検出信号Ｖｓｔｏｐが出力されずにＬレベルにあり、基準電圧源２８で基準電圧Ｖｒｅｆが上昇する制御が行われることがなく、所定の基準電圧Ｖｒｅｆに保たれている。
【００９８】
このような並列運転時における出力電圧設定値が高い側のスイッチング電源装置１０の動作は、スイッチング電源装置１０が単体で動作している場合も同じ動作となる。ダイオード整流のスイッチング電源装置１０を無負荷で動作させる場合は、スイッチング素子のオンデューティを限りなくゼロに近い状態で動作させることになるが、スイッチング素子が動作していることでスイッチング動作モニタ回路３２がスイッチング動作停止検出信号Ｖｓｔｏｐを出力することが無いため、電圧上昇機能を備えた基準電圧源２８は、スイッチング素子の制御に影響を及ぼすことがなく、図１に示した本実施形態のスイッチング電源装置１０は、図２に示した並列運転を行うスイッチング電源システムでの使用を例に示したが、単体のスイッチング電源装置１０としても使用できる。
【００９９】
［並列運転時における出力電圧設定値が低い側のスイッチング電源装置の動作］
図４は出力電圧設定値が低い側のスイッチング電源装置の動作波形を示したタイムチャートであり、図４（Ａ）は誤差アンプ３８の入力を示し、図４（Ｂ）はＰＷＭコンパレータ４６の入力を示し、図４（Ｃ）はスイッチング動作停止検出信号Ｖｓｔｏｐを示し、図４（Ｄ）はコンデンサ５４の電圧であるしきい値電圧検出回路５６の入力を示し、図４（Ｅ）はスイッチング制御信号ＶＧＳを示す。
【０１００】
図４を参照して並列運転時における出力電圧設定値が低い側のスイッチング電源装置１０の動作を説明すると次のようになる。
【０１０１】
スイッチング電源システムが無負荷で動作している場合は、自身の出力電圧設定値よりも高い電圧が外部から印可された状態となるため、自身の出力側回路の消費電力は、外部から供給された状態となる。
【０１０２】
出力電圧設定値が低い側のスイッチング電源装置１０は、図４（Ａ）のスイッチング動作停止未検出期間Ｔ１に示すように、自身の出力電圧設定値よりも高い電圧が外部から印可されているため、Ｖｓｅｎｓ＞Ｖｒｅｆの状態となる。この状態では、フィードバック制御回路２６が出力電圧を低下させるように制御を行うことになるため、図３（Ｂ）に示すように、フィードバック信号ＶＦＢを低下させる制御が行われ、フィードバック信号ＶＦＢが徐々に低下していって三角波信号Ｖｔｒｉ以下となり、三角波信号Ｖｔｒｉの周波数によるスイッチング素子１４のスイッチング動作が停止する。このときのフィードバック信号ＶＦＢの低下速度はフィードバック制御回路２６の応答速度で決定される。
【０１０３】
スイッチング素子１４のスイッチング動作が停止すると、スイッチング制御信号ＶＧＳはＬレベルとなり、図４（Ｄ）に示すように、スイッチング動作モニタ回路３２のコンデンサ５４が充電されなくなり、コンデンサ５４の電圧ＶＣが低下する。コンデンサ５４の電圧ＶＣがスイッチング動作モニタ回路３２のしきい値電圧検出回路５６に設定されたしきい値電圧Ｖｔｈを時刻ｔ１で下回ると、図４（Ｃ）に示すように、Ｈレベルとなるスイッチング動作停止検出信号Ｖｓｔｏｐが出力される。
【０１０４】
基準電圧源２８は、Ｈレベルとなるスイッチング動作停止検出信号Ｖｓｔｏｐが入力されると、図４（Ａ）に示すように、出力検出電圧Ｖｓｅｎｓよりも高い状態になるように基準電圧Ｖｒｅｆを上昇させる。スイッチング動作停止検出期間Ｔ２に示すように、Ｖｓｅｎｓ＜Ｖｒｅｆの状態では、図４（Ｂ）に示すように、フィードバック制御回路２６がフィードバック信号ＶＦＢを上昇させる制御が行われる。このときのフィードバック信号ＶＦＢの上昇速度はフィードバック制御回路２６の応答速度で決定される。
【０１０５】
図４（Ｂ）に示すように、フィードバック信号ＶＦＢが上昇して時刻ｔ２でＶＦＢ＞Ｖｔｒｉの状態となると、図４（Ｅ）に示すように、Ｈレベルとなるスイッチング制御信号ＶＧＳが出力され、スイッチング素子１４がオンする。また、Ｈレベルとなるスイッチング制御信号ＶＧＳが出力されると、スイッチング動作モニタ回路３２のコンデンサ５４が充電されてコンデンサ電圧ＶＣが上昇し、しきい値電圧検出回路５６のしきい値電圧Ｖｔｈを超え、Ｌレベルとなるスイッチング動作停止検出信号Ｖｓｔｏｐが出力される。
【０１０６】
Ｌレベルとなるスイッチング動作停止検出信号Ｖｓｔｏｐが入力されると、基準電圧源２８による基準電圧Ｖｒｅｆの上昇動作が解除されて通常の電圧に戻るように制御され、以下、同様な動作が繰り返される。
【０１０７】
このため並列運転に伴い自身の出力電圧設定値よりも高い電圧が外部から印可されている側のスイッチング電源装置１０において、フィードバック信号ＶＦＢは三角波信号Ｖｔｒｉから剥離することがなくなり、三角波信号Ｖｔｒｉ下限付近で動作を続けることになる。
【０１０８】
（第１実施形態のメリット）
第１実施形態のスイッチング電源装置を並列運転するスイッチング電源システムに用いることで、無負荷状態のスイッチング電源システムから、システムを構成する１台のスイッチング電源装置が出力可能な電流値以上の電流をスイッチング電源システムから急峻に出力させようとした場合、出力電圧設定値が低い側のスイッチング電源装置においても、電流出力の応答遅れが発生することをなくすことができ、スイッチング電源装置の出力側のコンデンサを大型化する必要がなく、小型、低コストのスイッチング電源装置を作ることができる。
【０１０９】
また、本実施形態のスイッチング電源装置を単体で使用した場合にも、無負荷時の動作に悪影響を及ぼすこともない。
【０１１０】
［スイッチング電源装置の第２実施形態］
図５はスイッチング電源装置の第２実施形態において、出力電圧設定値が低い側のスイッチング電源装置の動作波形を示したタイムチャートであり、図５（Ａ）は誤差アンプ３８の入力を示し、図５（Ｂ）はＰＷＭコンパレータ４６の入力を示し、図５（Ｃ）はスイッチング動作停止検出信号Ｖｓｔｏｐを示し、図５（Ｄ）はしきい値電圧検出回路５６の入力を示し、図５（Ｅ）はスイッチング制御信号ＶＧＳを示す。
【０１１１】
（第２実施形態の構成）
本実施形態のスイッチング電源装置は、図１に示した第１実施形態のスイッチング電源装置１０と同じ構成となるが、Ｈレベルとなるスイッチング動作停止検出信号Ｖｓｔｏｐを入力した場合の基準電圧源２８による基準電圧Ｖｒｅｆの上昇のさせ方が相違する。
【０１１２】
本発明の基準電圧源２８は、Ｈレベルとなるスイッチング動作停止検出信号Ｖｓｔｏｐを入力した場合に、出力検出電圧Ｖｓｅｎｓよりも大きくなるように基準電圧Ｖｒｅｆを上昇させる制御を行うことが必要である。
【０１１３】
図１の第１実施形態では、基準電圧Ｖｒｅｆを通常動作時の電圧とＨレベルとなるスイッチング動作停止検出信号Ｖｓｔｏｐが入力されることで上昇した後の電圧の２段階でステップ的に制御を行っているため、並列運転されるスイッチング電源装置１０の出力電圧設定値のばらつきを見込んで上昇後の基準電圧Ｖｒｅｆを設定する必要があるが、並列運転されるスイッチング電源装置１０の出力電圧設定値のばらつきが大きい場合は、上昇後の基準電圧Ｖｒｅｆの設定値を大きく設定しておく必要がある。しかし、基準電圧Ｖｒｅｆを上昇させる前後の電圧差が大きいと、基準電圧Ｖｒｅｆのステップ的な変化によりフィードバック制御回路２６の動作が不安定になってしまう場合がある。
【０１１４】
本実施形態では、スイッチング動作停止検出期間の基準電圧Ｖｒｅｆの上昇を、図５（Ａ）のスイッチング動作停止検出期間Ｔ２に示すように、傾きを持たせて上昇させる動作とすることで、基準電圧Ｖｒｅｆを大きく上昇させる場合でもフィードバック制御回路２６を安定に動作させることができる。
【０１１５】
本実施形態のスイッチング電源装置は、図１に示した第１実施形態のスイッチング電源装置１０と同じ回路で構成されており、電圧上昇機能を備えた基準電圧源２８の制御を次のように行う。
【０１１６】
基準電圧源２８は、図５（Ａ）に示すように、時刻ｔ１でスイッチング動作停止検出信号Ｖｓｔｏｐが入力されると、方形波発振器４０のデューティを時間とともに広げる制御を行う。この制御により基準電圧Ｖｒｅｆが時間の経過に伴い徐々に上昇する。基準電圧Ｖｒｅｆが上昇して時刻ｔ２でＶｓｅｎｓ＜Ｖｒｅｆの状態になると、図５（Ｂ）に示すように、フィードバック制御回路２６がフィードバック信号ＶＦＢを上昇させる制御となる。
【０１１７】
時刻ｔ２でＶｓｅｎｓ＜Ｖｒｅｆとなっても基準電圧Ｖｒｅｆが上昇を続ける。出力検出電圧Ｖｓｅｎｓと基準電圧Ｖｒｅｆの差が大きいほどフィードバック信号ＶＦＢの上昇速度が大きくなるので、フィードバック信号ＶＦＢを速く三角波信号Ｖｔｒｉの下限に到達させることができる。
【０１１８】
時刻ｔ３でフィードバック信号ＶＦＢが三角波信号Ｖｔｒｉの下限に到達すると、Ｈレベルとなるスイッチング素子制御信号ＶＧＳが出力されることで、Ｌレベルとなるスイッチング動作停止検出信号Ｖｓｔｏｐが出力される。Ｌレベルとなるスイッチング動作停止検出信号Ｖｓｔｏｐが入力されると、基準電圧源２８の方形波発振器４０のデューティは通常の状態に戻され、基準電圧Ｖｒｅｆは通常時の電圧に戻る。以下、同様な動作が繰り返される。
【０１１９】
（第２実施形態のメリット）
第１実施形態では、基準電圧Ｖｒｅｆを通常動作時の電圧と上昇後の電圧の２段階でステップ的に制御を行っていたため、基準電圧Ｖｒｅｆを上昇させる前後の電圧差が大きいと、基準電圧Ｖｒｅｆのステップ的な変化によりフィードバック制御回路２６の動作が不安定になってしまう場合があったが、第２実施形態では、基準電圧Ｖｒｅｆを時間の経過に伴い徐々に上昇させるように制御を行うため、フィードバック制御回路２６を安定に動作させることができる。
【０１２０】
また、第１実施形態では、基準電圧Ｖｒｅｆを上昇させる前後の電圧差を大きくすることが難しかったため、上昇後の基準電圧Ｖｒｅｆと出力検出電圧Ｖｓｅｎｓの電圧差を大きくすることが難しかったが、第２実施形態では、上昇後の基準電圧Ｖｒｅｆと出力検出電圧Ｖｓｅｎｓの電圧差を大きくすることが可能となるため、フィードバック信号ＶＦＢの上昇速度が大きくなり、無負荷状態のスイッチング電源システムから、システムを構成する１台のスイッチング電源装置が出力可能な電流値以上の電流をスイッチング電源システムから急峻に出力させようとした場合、スイッチング素子が動作するまでの遅れ時間を短くすることができる。
【０１２１】
［本発明の変形例］
上記の実施形態は、複数のスイッチング電源装置の並列運転を行うスイッチング電源システムの無負荷状態で、電力変換部の出力に出力電圧より高い外部電圧が他のスイッチング電源装置から印加された場合を例に示しているが、単体で動作しているスイッチング電源装置が無負荷状態で、電力変換部の出力に出力電圧より高い外部電圧が印加された場合であっても、同様に、基準電圧を上昇させることにより、フィードバック信号の三角波信号からの乖離を抑制させ、スイッチング電源装置から急峻に電流を出力させようとした場合の電流出力の応答遅れを無くすことができる。
【０１２２】
また、本発明は、その目的と利点を損なうことのない適宜の変形を含み、更に上記の実施形態に示した数値による限定は受けない。
【符号の説明】
【０１２３】
１０：スイッチング電源装置
１１：入力電源
１２：電力変換部
１４：スイッチング素子
１６：インダクタ
１８，５０：ダイオード
２０，４４，５４：コンデンサ
２１：負荷
２２：出力電圧制御回路
２４：出力電圧検出回路
２６：フィードバック制御回路
２８：基準電圧源
３０：ＰＷＭ制御回路
３４，３６，４２，５２：抵抗
３２：スイッチング動作モニタ回路
３８：誤差アンプ
４０：方形波発振器
４６：ＰＷＭコンパレータ
４８：三角波発振器
５６：しきい値電圧検出回路
６０：伝送線
【図１】
2018023190.tif 000003
【図２】
2018023190.tif 000004
【図３】
2018023190.tif 000005
【図４】
2018023190.tif 000006
【図５】
2018023190.tif 000007
【図６】
2018023190.tif 000008
【図７】
2018023190.tif 000009
【図８】
2018023190.tif 000010